(57)【要約】【課題】  簡単な構成でユニット化することができ、しかも容易に製造することができる簡易施工可能な装飾板ユニットを提供する。【解決手段】  複数枚の装飾板２と、この装飾板２が個別に嵌め込まれる嵌合孔３３を有する可撓性のベース枠３とを備える。装飾板２は、装飾板本体２０と、装飾板本体２０の裏面に貼り付けられ周縁部に装飾板本体２０の裏面との間に隙間を設けて板側係止部２３を形成する係止板２１とを有する。板側係止部２３が嵌合孔３３の内周面に設けられた枠側係止部３５に係止されることにより、装飾板２がベース枠３に着脱自在に取り付けられる【選択図】      図１
2004332527.tif 000002
【特許請求の範囲】
【請求項１】
１枚ないし複数枚の装飾板と、この装飾板が個別に嵌め込まれる嵌合孔を有する可撓性のベース枠とを備える装飾板ユニットにおいて、
装飾板は、装飾板本体と、該装飾板本体の裏面に固着された係止板とを有し、
上記係止板が上記ベース枠の内周面に設けられた係合部に係止されることにより、装飾板がベース枠に着脱自在に取り付けられることを特徴とする装飾板ユニット。
【請求項２】
ベース枠の内周面に設けられた係合部はベース枠の嵌合孔の内周面から内側に突出する係合突部として構成されるとともに、係止板はこの係止板と装飾板の外周裏面との間の少なくとも一部に係止凹部としての隙間を形成するように構成されることを特徴とする請求項１記載の装飾板ユニット。
【請求項３】
ベース枠は、外枠と、この外枠内に複数の上記嵌合孔を形成する内枠とを備え、これらの外枠及び内枠にはそれぞれ補強用リブが設けられ、外枠に設けられた補強用リブの数が、内枠に設けられた補強用リブの数よりも多く設定されていることを特徴とする請求項１または請求項２記載の装飾板ユニット。
【請求項４】
ベース枠は内枠に沿って該内枠の裏面側に形成された撓み吸収用溝を有するとともに、内枠に形成された補強用リブは該内枠を挟んで対称に配置され、これら対称配置された補強用リブが撓み吸収用溝を横切って互いに連設されていることを特徴とする請求項３記載の装飾板ユニット。
【請求項５】
ベース枠の外周面には、隣接する装飾板ユニット同士を連結するための連結部が設けられ、該連結部が、高さ方向の位置ずれを防止する第１連結部と、ユニット同士の連結方向への離反を防止する第２連結部とを含み、上記第１及び第２連結部がベース枠の外周方向に沿って列設されていることを特徴とする請求項１ないし請求項４のいずれか１項に記載の装飾板ユニット。
【請求項６】
ベース枠の嵌合孔は、有底に形成され、装飾板がその底面上に載置されることを特徴とする請求項１ないし請求項５のいずれか１項に記載の装飾板ユニット。
【請求項７】
ベース枠の裏面が平面に形成されていることを特徴とする請求項６記載の装飾板ユニット。
【請求項８】
ベース枠における各嵌合孔の周縁と装飾板の外周縁との隙間をシールする軟質合成樹脂製の防水材を備え、該防水材は、上記ベース枠の表面を覆う被覆部と、この被覆部の端縁から上記嵌合孔内に垂下する垂下部とを有することを特徴とする請求項１ないし請求項７に記載の装飾板ユニット。
【請求項９】
装飾板の係止凹部は、ベース枠の係合突部よりも幅広に形成されるとともに、防水材の垂下部は、上記係止凹部に係止されるシート側係合突部が設けられていることを特徴とする請求項８記載の装飾板ユニット。
【請求項１０】
複数枚の装飾板と、この装飾板が取り付けられる可撓性のベース枠とを備える装飾板ユニットであって、
装飾板は、装飾板本体と、該装飾板本体の裏面に固着される複数個の係止部材とを有するとともに、
ベース枠は、装飾板本体を露出した状態で係止部材のみが個別に嵌め込まれる嵌合孔を有し、
装飾板の係止部材が嵌合孔の内周面に設けられた係合部に係止されることにより、上記装飾板がベース枠に着脱自在に取り付けられることを特徴とする装飾板ユニット。
【発明の詳細な説明】
【技術分野】
【０００１】
本発明は、タイル等の装飾板をユニット化する装飾板ユニットに関し、詳しくは玄関口、廊下、ベランダ等の床面或いは壁面、特にプールや浴槽の床面を含む内壁面など水中の敷設に適した装飾板ユニットに関するものである。
【背景技術】
【０００２】
建築物の内外の壁面や床面等の下地に敷設される装飾用建築材料として、タイル等の装飾板が広く用いられている。例えば、プールや浴槽等の内壁面（底壁面及び内側壁面）には、多数のタイルが目地を介して敷き詰められている。
【０００３】
従来、このようなタイルの施工においては、下地の上にモルタル等を敷設してその上に接着剤やモルタルを介してタイルを敷設し、所定時間養生させることにより、タイルを下地に固定状態に貼り付けるものが一般的に知られている。そして、このようなタイルの施工は、所定の配列パターンで等間隔にタイルを並べる等相当のスキルを要することから専門の技術職人によって行われており、またモルタルや接着剤が乾燥固化するまでの養生期間が長く、これにより施工期間も長くなっていた。しかも、このタイルを一旦施工すると、該タイルがひび割れる等損傷してもその損傷箇所を補修するのが困難であった。
【０００４】
そこで、従来、このような複数のタイルを保持する保持枠を用いてタイルをユニット化し、これにより簡易施工可能なタイルユニットが提案されている（特許文献１参照）。このタイルユニットは、格子状に形成された合成ゴム製の保持枠の各格子升にタイルを嵌合し、タイル自体の周面に形成された係止窪に各格子升の内周面に形成された係止突起を係止してタイルを保持枠に取り付けるようになされている。
【特許文献１】特開昭６３−２３６８０１号公報
【発明の開示】
【発明が解決しようとする課題】
【０００５】
しかしながら、上記従来のタイルユニットでは、薄いタイル自体の周面にタイルを損傷することなく、溝状の係止窪を切削加工しなければならず、加工が困難で実用的でないという欠陥があった。
【０００６】
本発明は、このような事情に鑑みてなされたものであり、簡単な構成にすることにより製造が容易であるとともに施工も簡便に行うことができる装飾板ユニットを提供することを目的とする。
【課題を解決するための手段】
【０００７】
上記目的を達成するため、この発明に係る装飾板ユニットは、１枚ないし複数枚の装飾板と、この装飾板が個別に嵌め込まれる嵌合孔を有する可撓性のベース枠とを備える装飾板ユニットにおいて、装飾板は、装飾板本体と、該装飾板本体の裏面に固着された係止板とを有し、上記係止板が上記ベース枠の内周面に設けられた係合部に係止されることにより、装飾板がベース枠に着脱自在に取り付けられることを特徴とするものである。
【０００８】
この発明によれば、装飾板が、装飾板本体と、該装飾板本体の裏面に固着された係止板とを有し、上記係止板が上記ベース枠の内周面に設けられた係合部に係止されることにより、装飾板がベース枠に着脱自在に取り付けられるので、装飾板本体の裏面に係止板を固着するだけで装飾板をベース枠に取り付けることができ、簡単な構成でこの装飾板ユニットを容易に製造することができる。しかも、ベース枠が可撓性のものとして構成され、このベース枠に装飾板を嵌め込むだけでよいので、平滑面として構成されていない下地表面の形状に対応して敷設することができ、装飾板をベース枠の嵌合孔に嵌め込んで簡易に装飾板を施工することができる。
【０００９】
さらに、装飾板がベース枠に着脱自在に取り付けられるので、施行後に特定の装飾板が損傷した場合に該損傷した装飾板だけを取り外して新たな装飾板に交換することができ、簡単に補修することができる。特に、該装飾板ユニットがプール等の水中に敷設されている場合には、補修にあたって水抜きする必要がないことから、簡易且つ迅速に補修することができる。
【００１０】
なお、装飾板とベース枠の係止構造を具体的に限定するものではないが、ベース枠の内周面に設けられた係合部がベース枠の嵌合孔の内周面から内側に突出する係合突部として構成されるとともに、係止板がこの係止板と装飾板の外周裏面との間の少なくとも一部に係止凹部としての隙間を形成するものとして構成されるのが好ましい（請求項２）。
【００１１】
この発明において、ベース枠は、外枠と、この外枠内に複数の上記嵌合孔を形成する内枠とを備え、これらの外枠及び内枠にはそれぞれ補強用リブが設けられ、外枠に設けられた補強用リブの数が、内枠に設けられた補強用リブの数よりも多く設定されているのが好ましい（請求項３）。
【００１２】
すなわち、このような装飾板ユニットを最初に施工する場合には、ベース枠に装飾板が嵌め込まれた装飾板ユニットを一単位として取り扱うことが多いが、このような場合にはベース枠が可撓性のものとして構成されているので、外枠が倒伏してその取り扱いが却って不便になることが懸念される。一方、内枠はその両側に装飾板が配置されるので、該内枠が倒伏する虞は少ない。すなわち、上記のように構成すれば、ベース枠に対する装飾板の嵌め込みを容易なまま維持しつつ、外枠の倒伏だけを効果的に防止することができ、これにより装飾板ユニットの取り扱いの利便性が向上する。
【００１３】
この場合に、ベース枠は内枠に沿って該内枠の裏面側に形成された撓み吸収用溝を有するとともに、内枠に形成された補強用リブは該内枠を挟んで対称に配置され、これら対称配置された補強用リブが撓み吸収用溝を横切って互いに連設されているのが好ましい（請求項４）。
【００１４】
このように構成すれば、補強用リブの機能を低下させることなく、撓み吸収用溝により下地表面の形状変化に柔軟に対応することができる。
【００１５】
この発明において、ベース枠の外周面には、隣接する装飾板ユニット同士を連結するための連結部が設けられ、該連結部が、高さ方向の位置ずれを防止する第１連結部と、ユニット同士の連結方向への離反を防止する第２連結部とを含み、上記第１及び第２連結部がベース枠の外周方向に沿って列設されているのが好ましい（請求項５）。
【００１６】
このように構成すれば、上記第１及び第２連結部がベース枠の外周方向に沿って列設されているので、ベース枠の厚みを薄く形成することができ、しかも各連結部により高さ方向の位置ずれと連結方向への離反を確実に防止して、装飾板ユニット同士の連結をより確実なものとすることができる。
【００１７】
ベース枠の嵌合孔は、有底に形成され、装飾板がこの底面上に載置されるのが好ましい（請求項６）。
【００１８】
このように構成すれば、装飾板の載置安定性が向上する一方、ベース枠が可撓性に構成されていることと相俟って、装飾板に作用する衝撃を緩和することができ、装飾板の損傷を効果的に抑制することができるとともに、例えば床材として使用された場合に歩行等の際のクッション性が向上する。
【００１９】
また、ベース枠の裏面に支持脚を設けてこの支持脚を介して下地の上に敷設するものであってもよいが、ベース枠の裏面側にゴミや汚れが集積するのを有効に防止する観点から、ベース枠の裏面が平面に形成されているのが好ましい（請求項７）。
【００２０】
この発明において、ベース枠における各嵌合孔の周縁と装飾板の外周縁との隙間をシールする軟質合成樹脂製の防水材を備え、該防水材は、上記ベース枠の表面を覆う被覆部と、この被覆部の端縁から上記嵌合孔内に垂下する垂下部とを有して構成されるのが好ましい（請求項８）。
【００２１】
このように構成すれば、目地の両縁部に相当する嵌合孔の周縁と装飾板の外周縁との隙間を確実にシールすることができる。しかも、この防水材の垂下部により装飾板が圧入状態に嵌合孔内に嵌め込まれ、装飾板の取り付けを強固なものとすることができる。さらに、被覆部の両端縁から垂下部が垂下されるので、両側の装飾板の嵌め込み時に垂下部が引っ張られることにより被覆部が引っ張られ被覆部をベース枠に密着させた状態で被覆させることができ、その見栄えもよくなる。
【００２２】
この場合に、装飾板の係止凹部は、ベース枠の係合突部よりも幅広に形成されるとともに、防水材の垂下部は、上記係止凹部に係止されるシート側係合突部が設けられているのが好ましい（請求項９）。
【００２３】
このように構成すれば、板側係止部を有効に利用して防水材の抜出を確実に防止することができる。
【００２４】
また、この発明に係る他の装飾板ユニットは、複数枚の装飾板と、この装飾板が取り付けられる可撓性のベース枠とを備える装飾板ユニットであって、装飾板は、装飾板本体と、該装飾板本体の裏面に固着される複数個の係止部材とを有するとともに、ベース枠は、装飾板本体を露出した状態で係止部材のみが個別に嵌め込まれる嵌合孔を有し、装飾板の係止部材が嵌合孔の内周面に設けられた係合部に係止されることにより、上記装飾板がベース枠に着脱自在に取り付けられることを特徴とするものである（請求項１０）。
【００２５】
この発明によれば、装飾板が、装飾板本体と、該装飾板本体の裏面に固着される複数個の係止部材とを有するとともに、ベース枠は、装飾板本体を露出した状態で係止部材のみが個別に嵌め込まれる嵌合孔を有し、装飾板の係止部材が嵌合孔の内周面に設けられた係合部に係止されることにより、上記装飾板がベース枠に着脱自在に取り付けられるので、上記請求項１の装飾板ユニットと同様に、ベース枠との係止構造を簡単に装飾板本体に設けることができる。また、簡易施工が可能で、補修が容易な点も上記請求項１の装飾板ユニットと同様である。
【発明の効果】
【００２６】
上記構成の装飾板ユニットによれば、装飾板として装飾板本体に係止板を固着するという単純な作業で簡単に装飾板の係止構造を構成することができ、該装飾板をベース枠に嵌め込んで係止板をベース枠の嵌合孔に設けられた係合部に係止させるだけで、装飾板を簡単にユニット化することができるとともに、装飾板を簡易に施工することができる。また、装飾板をベース枠に係止させるだけのものであるので、簡単に脱着することができ、その補修作業も短時間で容易に行うことができる。
【発明を実施するための最良の形態】
【００２７】
［第１実施形態］
本発明の好ましい実施形態を図面に基づいて説明する。なお、ここではプールの内壁面に敷設される装飾板ユニットについて示すが、この装飾板ユニットの敷設箇所はこれに限定されるものではなく、例えば浴槽や噴水等の水中だけでなく、プールサイドや浴室、乾燥室、通路（廊下を含む）、玄関口、ベランダの床面や壁面等であってもよい。
【００２８】
図１は、装飾板ユニット１を分解した状態で示す斜視図である。この装飾板ユニット１は、略方形状（本第１実施形態では略正方形）の装飾板２と、この装飾板２が個別に嵌め込まれる嵌合孔３３を複数個有するベース枠３と、上記嵌合孔３３の周縁と装飾板２の外周縁との隙間をシールする防水材４とを備える。図２は、これらの装飾板２、ベース枠３及び防水材４が組み付けられた状態で示す縦断面図である。図３は図２の要部拡大断面図であり、図４はベース枠３を下側から見た場合の斜視図である。図５及び図６は、図３と異なる断面における要部拡大断面図である。以下、これらの図１〜図６を用いてこの装飾板ユニット１を具体的に説明する。なお、図４では、装飾板ユニット１を連結するための後述する連結部５，６を省略した状態で示している。
【００２９】
この装飾板ユニット１は、複数枚の装飾板２をベース枠３に嵌め込むことによりこれらの装飾板２を所定数量（本第１実施形態では９枚）毎にユニット化し、この装飾板ユニット１を敷設していくだけで目地が形成された状態に装飾板２の施工を可能にするものである。なお、この装飾板ユニット１は、上記したように、装飾板２、ベース枠３、防水材４を備えるが、防水材４は水中に敷設されない場合等、状況に応じて適宜省略可能である。
【００３０】
装飾板２は、表面が外部に露出する装飾板本体２０と、この装飾板本体２０の裏面に貼り付けられた（固着された）係止板２１とを有し、ベース枠３の嵌合孔３３に着脱自在に嵌め込まれている。装飾板本体２０は、本第１実施形態では薄板状の平物のタイルが用いられ、その中でも厚さが１０ｍｍよりも薄い既存の無釉タイルが用いられている。この装飾板本体２０の裏面は、周縁部に比べて中央部が僅かに膨出して形成されており、従って上記係止板２１が貼り付けられることにより、係止板２１の上面と装飾板本体２０の裏面との間に僅かな隙間が形成されるようになっている。
【００３１】
係止板２１は、硬質合成樹脂（本第１実施形態ではＡＢＳ樹脂）により成形された薄板であり、装飾板本体２０と同形、同大、すなわち略正方形状に形成されるとともにその周縁が装飾板本体２０の周縁に略一致して形成されている。この係止板２１は、上記したように、装飾板本体２０の裏面に該装飾板本体２０と周縁を略一致させて積層状態に接着剤で貼り付けられるものであり、この貼り付けにより係止板２１の上面周縁部と装飾板本体２０の下面周縁部との間に隙間を形成し、この隙間によりベース枠３の後述する係合突部（枠側係止部）３５が係止される係止凹部（板側係止部）２３を形成するものである。この係止凹部２３は、係止板２１の全周に亘って形成されており、各辺の係止凹部２３の幅（係止板２１の辺方向の長さ）は後述する係合突部３５の幅よりも大きく形成されている。
【００３２】
また、係止板２１は、各辺部にそれぞれベース枠３の後述する補強用リブ３６を挿通するためのリブ挿通用切欠部２４が設けられ、このリブ挿通用切欠部２４は嵌合孔３３における各辺ごとの補強用リブ３６の最大数（本第１実施形態では３個）に応じて設けられている。
【００３３】
一方、ベース枠３は、軟質合成樹脂（本第１実施形態ではＥＶＡ樹脂）により一体成形された可撓性の有底枠状体であり、略正方形状の外枠３０と、この外枠３０内に所定の配列パターン、個数の嵌合孔３３を形成する内枠３１と、各嵌合孔３３の底部をなす上記外枠３０の底壁部３２とを備える。
【００３４】
具体的には、ベース枠３は、格子状の内枠３１によって外枠３０内が装飾板２の形状に対応した略正方形状の嵌合孔３３に仕切られている。この嵌合孔３３の配列パターンは、特に限定するものではないが、本第１実施形態では縦横３個ずつ並べられている。ここで、本第１実施形態では、外枠３０の幅が内枠３１の幅よりも狭く形成され、複数個の装飾板ユニット１を隣接した状態で配置した場合に、この隣接する装飾板ユニット１同士の各外枠３０幅との合計が上記内枠３１の幅になるように設定されている。すなわち、装飾板ユニット１を下地に敷設した場合に、外枠３０や内枠３１によって構成される目地相当部分のばらつきを防止して、見栄えよくなされている。
【００３５】
各嵌合孔３３の内周面である外枠３０及び内枠３１の内側面には、上記係止凹部２３の高さに対応して内側に突出する係合突部３５が設けられている。この係合突部３５は、上記係止凹部２３に挿入され、この係止凹部２３における係止板２１の周縁部に弾性的に係止されるものであり、各嵌合孔３３の各辺における中央部に所定の長さに亘って形成されている。この係合突部３５は、本第１実施形態では断面三角形状に形成されているが、その具体的断面形状は特に限定されるものではなく、例えば半円形、方形等公知の形状であってもよい。
【００３６】
また、上記嵌合孔３３の内周面である外枠３０及び内枠３１には、各枠３０，３１の倒伏防止のための補強用リブ３６が設けられている。この補強用リブ３６は、図５に示すように、上端が上記係合突部３５に略対応して位置し、上記係止板２１のリブ挿通用切欠部２４を通して係止凹部２３内に突出している。この補強用リブ３６の数は、外枠３０に設けられるものと、内枠３１に設けられるものとの間で異なっている。すなわち、外枠３０に設けられた補強用リブ３６の数は、内枠３１に設けられた補強用リブ３６の数よりも多く設定され、本第１実施形態では、外枠３０に設けられた補強用リブ３６は、嵌合孔３３の各辺の辺方向中央部及びその両側の計３個設けられている一方、内枠３１に設けられた補強用リブ３６は、嵌合孔３３の各辺の辺方向中央部のみの１個設けられている。
【００３７】
なお、各枠３０，３１に設けられた補強用リブ３６のうち各辺の中央部に設けられた補強用リブ３６は、それぞれ各辺における略同一箇所に形成されている。このように内枠３１に設けられる補強用リブ３６の形成箇所、すなわち嵌合孔３３の各辺に対する内枠３１の補強用リブ３６の相対位置を、外枠３０の補強用リブ３６の相対位置と一致させておくことにより、装飾板２の嵌め込み方向が規制されることなく、従って装飾板２を水平面上で９０度回転させても装飾板２を嵌合孔３３に嵌め込むことができ、その取り扱いの利便性が向上する。
【００３８】
このベース枠３の底壁部３２は、その裏面が平面として形成され、下地に敷設された状態で下地表面とベース枠３の裏面との間に大きな隙間が形成されないようになされている。そして、上記内枠３１の裏面側における底壁部３２には、図４、図５に示すように、上記内枠３１に沿って、断面逆Ｕ字状の撓み吸収用溝３７が格子状に形成されている。この撓み吸収用溝３７は、ベース枠３、特に底壁部３２を撓み易くするとともに、下地形状に合わせて格子単位で切断する場合にその切断を容易にするためのものである。
【００３９】
ところで、このような撓み吸収用溝３７が形成された場合に、内枠３１が倒伏し易くなり、このため上記補強用リブ３６の機能が低下することが懸念されるが、この第１実施形態では、内枠３１に形成された補強用リブ３６が内枠３１を挟んで対称に配置されており、そして、この内枠３１の両側縁に対称に配置された補強用リブ３６同士が、図５に示すように、上記撓み吸収用溝３７を横切る連設部３８を介して相互に連設され、補強用リブ３６が内枠３１と共に倒伏することに起因する機能の低下を効果的に抑制している。なお、図２及び図３中の８０は、係合突部３５を形成するための型抜き跡の孔であるが、この型抜き跡の孔８０は図１や図４では省略している。
【００４０】
この装飾板ユニット１は、複数個の装飾板ユニット１を並べて隣接する装飾板ユニット１同士を連結し得るものとなされている。この装飾板ユニット１同士の連結は、各装飾板ユニット１にそれぞれ設けられた一対の連結部５，６を連結することによって行われている。特に、この装飾板ユニット１では、一のユニット１に各連結部５，６が隣接する２辺毎に分けられて設けられている。
【００４１】
具体的には、各連結部５，６は、ベース枠３における外枠３０の外周面に設けられている。これら一対の連結部５，６は、外枠３０の各辺毎に異なる連結部５，６が設けられており、具体的には隣接する２辺について一方の連結部５が設けられ、残りの隣接する２辺について他方の連結部６が設けられている。各辺毎の連結部５，６の数は特に限定するものではないが、本第１実施形態では、内枠３１によって仕切られた各嵌合孔３３の数に対応した数、すなわち３個設けている。
【００４２】
この一対の連結部５，６は、それぞれ、高さ方向（図２では上下方向）の位置ずれを防止する一対の第１連結部５０，６０と、装飾板ユニット１同士の連結方向（図２では左右方向）への離反を防止する一対の第２連結部５１，６１とを含んで構成されている。
【００４３】
具体的には、第１連結部５０，６０は、下方に開放されたフック状の第１連結用雄部５０と、この第１連結雄部５０が掛止される第１連結雌部６０とを備える。第１連結雄部５０は、上記のようにフック状に形成され内外に弾性変形する鈎状部５０ａと、その下端部に外方に突出して形成された係止爪部５０ｂとを有する。一方、第１連結雌部６０は、枠６０ａにより形成され上記鈎状部５０ａが挿入される係止孔６２と、この係止孔６２に鈎状部５０ａが適正に挿入された状態で上記係止爪部５０ｂが係止される内枠３１の下面としての係止段部６０ｂとを有する。そして、鈎状部５０ａが係止孔６２に挿入され、下端部の係止爪部５０ｂが係止段部６０ｂに係止されることにより高さ方向の位置ずれを防止するものとなされている。なお、この第１連結部５０，６０は高さ方向の位置ずれを防止するだけでなく、鈎状部５０ａが係止孔６２に係止されることにより、ユニット１の連設方向の離反をも防止するものとなされているが、鈎状部５０ａが弾性変形し得るように構成されているため、該鈎状部５０ａが弾性変形して連設方向の離反を充分に防止できないことが懸念される。そこで、第１連結部５０，６０とは別に第２連結部５１，６１が設けられている。
【００４４】
この第２連結部５１，６１は、アリ溝として構成されている第２連結雌部５１と、この第２連結雌部５１に嵌合されるアリ状突出部としての第２連結雄部６１とを備える。そして、第２連結雌部５１にその上側から第２連結雄部６１が嵌合されて、装飾板ユニット１の連結方向の離反を防止するものとなされている。
【００４５】
防水材４は、外枠３０及び内枠３１の形状に略対応して形成された軟質合成樹脂製（本第１実施形態ではＥＶＡ樹脂）のシートであり、各枠３０，３１の表面を覆う被覆部４０と、この被覆部４０の所定の端縁から切溝４５を介して嵌合孔３３内に垂下する垂下部４１とを備える。なお、各図において防水材４は説明の便宜上、そのシート厚が誇張して描かれている。
【００４６】
被覆部４０は、ベース枠３の表面形状に対応して格子状に形成されている。この被覆部４０のうち、外枠３０の表面を覆う部分４０ａ、４０ｂは、外枠３０の４周辺のうち隣接する２辺間でその幅、及び垂下部４１の有無において異なる。
【００４７】
すなわち、図１において、外枠３０の左側辺及び後側辺を覆う被覆部４０ａは、隣接するユニット同士１を連結した場合に、隣接する装飾板ユニット１の外枠３０の表面にも積層されるように、幅広に形成され、つまり内枠３１を覆う被覆部４０ｃと同幅に形成されている。そして、この外枠３０の左側辺及び後側辺に積層される被覆部４０ａには、嵌合孔３３内に垂下する垂下部４１が設けられるとともに、外枠３０の外側に垂下する連結用垂下部４７が設けられる。この連結用垂下部４７が隣接する装飾板ユニット１の嵌合孔３３内に垂下して、この上から装飾板２が嵌め込まれることにより、防水材４によってもユニット１同士を連結するものとなされている。
【００４８】
一方、図１において、外枠３０の前側辺及び右側辺を覆う被覆部４０ｂは、該装飾板ユニット１の外枠３０の表面のみに対応して形成され、その幅は上記外枠３０の幅と略同等に形成されているとともに、上記被覆部４０ａと異なり、その縁部から垂下部４１が垂下されていない。そして、これらの各辺（前側辺、右側辺）の側方に別の装飾板ユニット１が連結される場合には、この被覆部４０ｂの上に、別の装飾板ユニット１の防水材４の被覆部４０ａが積層される。
【００４９】
内枠３１を覆う被覆部４０ｃは、内枠３１の表面幅と同等に形成され、その幅方向両縁部から嵌合孔３３内に垂下する垂下部４１が連設されている。
【００５０】
垂下部４１及び連結用垂下部４７は、上記したように、被覆部４０に切溝４５を介して連設されており、それぞれ被覆部４０とともに門形状に形成されている。すなわち、垂下部４１及び連結用垂下部４７は、垂下方向に直交する幅方向両端部が下方に突出して垂下突出部４１ａ、４７ａを構成し、この垂下突出部４１ａ、４７ａの下端部に嵌合孔３３の内方に向かって突出するシート側係止突部（シート側係止部）４３が設けられている。このシート側係止突部４３は、上記装飾板２の係止凹部２３のうち上記ベース枠３の係合突部３５が挿入されていない幅広部分に挿入係止され、防水材４の抜出を防止するものである。特に、連結用垂下部４７は、隣接する別の装飾板ユニット１の嵌合孔３３内に垂下して該嵌合孔３３内に嵌め込まれる装飾板２の係止凹部２３に係止され、装飾板ユニット１同士の連結部材としての機能も果たす。
【００５１】
このように、上記構成の装飾板ユニット１によれば、既存のタイルとして構成されている装飾板本体２０の裏面にＡＢＳ樹脂からなる係止板２１を貼り付けるだけで、装飾板２に係止凹部２３を設けることができ、この係止凹部２３にベース枠３の係合突部３５を係止するだけで装飾板２の着脱構造を構成することができる。すなわち、上記構成の装飾板ユニット１によれば、簡単な構成で装飾板２をユニット化することができ、しかも容易に製造することができる。
【００５２】
次に、この装飾板ユニット１を用いて装飾板２をプールの床面に施工する場合について説明する。
【００５３】
まず、ベース枠３に装飾板２を一部嵌め込む。具体的には、ベース枠３に防水材４を、その被覆部４０がベース枠３の表面に積層される状態で重ね合わせる。このとき、防水材４の垂下部４１は各嵌合孔３３に垂下された状態となっている。
【００５４】
そして、隣接する別の装飾板ユニット１の連結用垂下部４７が垂下されない嵌合孔３３に装飾板２を嵌め込む。すなわち、図１では、左上の４個の嵌合孔３３に、装飾板２を嵌め込む。ここで、この嵌め込みにあたっては、防水材４の垂下部４１を巻き込みつつ嵌合孔３３に装飾板２を嵌め込むと、ベース枠３の各枠３０，３１が弾性的に拡開するとともに係合突部３５が弾性変形し、係合突部３５が係止凹部２３に対向すると、各枠３０，３１及び係合突部３５が弾性的に回復し、係合突部３５が装飾板２の係止凹部２３に係止される。また、このとき同時に、防水材４の垂下部４１におけるシート側係止突部４３が係止凹部２３の係合突部３５が係止されていない部分に係止され（図６参照）、装飾板２の抜出が効果的に防止される。また、この装飾板２を嵌め込んだ状態では、ベース枠３の補強リブ３６は、係止板２１のリブ挿通用切欠部２４に挿通され、装飾板２の係止板２１がベース枠３の底壁部３２上に載置された状態となっている。
【００５５】
この装飾板２の嵌め込み作業を所定の装飾板２について繰り返し行い、ベース枠３の所定の嵌合孔３３に装飾板２を嵌め込む。この嵌め込みの順序は特に限定するものではないが、本第１実施形態のように中央の嵌合孔３３を取り囲むように嵌合孔３３が配設されている場合には、防水材４のたるみ防止の観点からまず中央の嵌合孔３３に装飾板２を嵌め込んで、その後に該嵌合孔３３の周囲の所定の嵌合孔３３に装飾板２を嵌め込むのが好ましい。
【００５６】
このように一部に装飾板２が嵌め込まれた装飾板ユニット１を複数個形成して、これをプールの床面に敷設する。ここで、上記装飾板ユニット１をプールの床面に敷設するにあたって既にタイルが敷設されている場合には、該タイルを剥離して下地を露出させ、その下地の上から装飾板ユニット１を敷設してもよいし、簡易施工する場合には既設のタイルの上から装飾板ユニット１を敷設してもよい。
【００５７】
具体的には、下地或いは床面上に装飾板ユニット１を接着或いは載置し、この装飾板ユニット１に別の装飾板ユニット１を連結する（図７参照）。なお、装飾板ユニット１を単に載置する場合には、養生期間を要さず、しかもプールの水抜きも要しないことから、簡易且つ迅速な装飾板２の施工が可能となる。ただし、装飾板ユニット１をプールの内側面にも敷設する場合には、該装飾板ユニット１のベース枠３底面を内側面上に接着しなければならず、この場合には、床面も併せて接着により装飾板ユニット１を接着するのが好ましい。
【００５８】
具体的には、下地或いは床面上に配置された装飾板ユニット１に別の装飾板ユニット１を連結するには、一対の連結部５，６が突き合わされる状態に各装飾板ユニット１の向きを合わせ、例えば既設の装飾板ユニット１の連結部５の上方から、別の装飾板ユニット１の連結部６をスライド移動させて、一方の連結部５の第１連結雄部５０を他方の連結部６の第１連結雌部６０に連結させるとともに、一方の連結部５の第２連結雌部５１を他方の連結部６の第２連結雄部５０に連結させる。これにより別の装飾板ユニット１を既設の装飾板ユニット１に連結した状態に敷設することができる。このように、連結部５，６を第１連結部５０，６０と第２連結部５１，６１とに分けて構成しているので、高さを低くすることができ、各方向について確実に装飾板ユニット１を連結することができる。
【００５９】
また、この装飾板ユニット１同士の連結の後、防水材４の連結用垂下部４７を隣接する別の装飾板ユニット１の嵌合孔３３内に垂下させ、この状態で上記装飾板２の嵌め込み作業と同様の方法によって、該連結用垂下部４７を巻き込みながら装飾板２を嵌め込む。これにより、隣接する別の装飾板ユニット１の連結用垂下部４７に設けられたシート側係止突部４３が装飾板２の係止凹部２３に嵌り込み、この防水材４によっても装飾板ユニット１同士を連結させることができる。しかも、この防水材４がユニット１同士の連結境界を跨いで積層されるので、該境界を隠蔽することができ、見栄えも向上させることができる。
【００６０】
そして、この装飾板ユニット１の連結作業を繰り返して行うと、プールの床面の周縁部において一の装飾板ユニット１を配設することができない余剰部分が発生することがある。このような余剰部分が発生した場合については、装飾板ユニット１をその内枠３１に沿って所定の大きさに切断し、このピース状の切断装飾板ユニットを嵌め込むことによってその余剰部分に装飾板２を敷設する。このピース状の切断装飾板ユニットによっても対応することができないときには、次の幅員調整材７を用いる。
【００６１】
この幅員調整材７は、軟質合成樹脂（本第１実施形態ではＥＶＡ樹脂）により形成された略矩形状の板状体であり、必要に応じて適当な大きさに切断され、上記余剰部分に敷設されるものである。ここで、装飾板ユニット１における内枠３１によって９つに分割された各領域を単位ブロックとすると、装飾板ユニット１は縦横はそれぞれ３ブロック分の大きさとなるが、この幅員調整材７は、この装飾板ユニット１の寸法よりも１ブロック分大きく形成されている。すなわち、幅員調整材７は、４個の単位ブロックが横方向に一列に並んだ大きさに形成されている。
【００６２】
また、この幅員調整材７の表面には、短辺に沿って単位ブロックごとに表面切断溝７０が形成されているとともに、長辺に沿って複数本（本第１実施形態では３本）の表面切断溝７０が形成されている。この表面切断溝７０は幅員調整材７を適当な大きさに切断する場合の目安となるものであり、切断箇所がこの表面切断溝７０と一致する場合にはその切断を容易にするものである。一方、幅員調整材７の裏面にも、短辺に沿って単位ブロックごとに裏面切断溝（図示せず）が形成されているとともに、長辺に沿って複数本（本第１実施形態では７本）の裏面切断溝７２が形成されている。これらの表裏面切断溝７０，７２の深さは特に限定するものではなく、その用途等に応じて適宜設定される。
【００６３】
なお、この幅員調整材７にも連結部５，６が設けられており、この連結部５，６を介して他の幅員調整材７や装飾板ユニット１に連結される。
【００６４】
この装飾板ユニット１や幅員調整材７の敷設にあたって、下地等の敷設箇所が滑らかな平滑面として形成されておらず、例えば僅かに波打っているような場合でも、上記装飾板ユニット１のベース枠３や幅員調整材７は可撓性の軟質合成樹脂により形成されているので、上記不都合にかかわらず簡易に装飾板２を施工することができる。しかも、下地等の表面に沿ってベース枠３が載置ないしは接着されるので、下地等の表面とベース枠３間にゴミ等が溜まる心配もなく、このためプール内の水質を悪化させることもない。
【００６５】
しかも、装飾板２がベース枠３に着脱自在に嵌め込まれているので、装飾板２の施工後に一部の装飾板２が損傷し或いは汚染した場合でも、例えばマイナスドライバー等により該損傷等した装飾板２だけを取り外して新たな装飾板２に交換するだけで簡単に補修することができる。特に、本第１実施形態のように装飾板ユニット１が水中に敷設されている場合には、この補修作業にあたって水抜きする必要がなく、簡易かつ迅速に補修することができる。
【００６６】
なお、本第１実施形態において、防水材４を省略する場合には、予めベース枠３の全ての嵌合孔３３に装飾板２を嵌め込んでから装飾板ユニット１を下地等に敷設するものであってもよい。
【００６７】
また、本第１実施形態では、ベース枠３に複数枚の装飾板２を嵌め込むものとなされているが、この装飾板２の枚数は特に限定するものではなく、例えば１枚等であってもよい。
【００６８】
［第２実施形態］
図１０は、他の実施形態に係る装飾板ユニットを示す斜視図である。
【００６９】
この装飾板ユニット１０１は、玄関口等の壁面に敷設されるものであり、上記第１実施形態と異なり、防水材４が省略されている。なお、図１０では、連結部５，６や補強用リブ３６も省略されているが、上記第１実施形態と同様の構成でありその記載を省略しているに過ぎない。
【００７０】
第２実施形態に係る装飾板ユニット１０１は、装飾板１０２を構成する係止板１２１から複数個の（本第２実施形態では４個）の嵌合突出部１２５が突出され、該嵌合突出部１２５がベース枠３の嵌合孔１３３に嵌合される点で上記第１実施形態と大きく異なる。以下、この異なる点を中心にして、この第２実施形態に係る装飾板ユニット１０１について説明する。なお、その他の構成については上記第１実施形態と同様である。
【００７１】
この装飾板ユニット１０１は、下方に突出する嵌合突出部１２５を有する略方形状（本第２実施形態では略長方形）の装飾板１０２と、この装飾板１０２の嵌合突出部１２５が個別に嵌め込まれる嵌合孔１３３を複数個有するベース枠１０３とを備える。
【００７２】
装飾板１０２は、装飾板本体１２０と、この装飾板本体１２０の裏面に貼り付けられた係止板１２１とを有し、ベース枠１０３に着脱自在に取り付けられている。装飾板本体２０は、本第２実施形態では薄板状の平物のボーダータイルが用いられている。
【００７３】
一方、係止板１２１は、上記装飾板本体１２０の裏面に周縁を一致させた状態で貼り付けられた係止板本体１２４と、この係止板本体１２４の裏面からベース枠１０３方向に突出する複数個（本第２実施形態では４個）の嵌合突出部（係止部材）１２５とを有し、これらがＡＢＳ樹脂等の硬質合成樹脂から一体的に形成されている。この嵌合突出部１２５は、係止板本体１２４の長手方向に沿って一列に並べられており、各嵌合突出部１２５毎にその外周面にベース枠１０３の後述する係止突出部１３５が係止される係止凹部１２３が形成されている。なお、嵌合突出部１２５は、装飾板本体１２０に直接貼り付けるものであってもよいが、本第２実施形態のように係止板本体１２４を介して貼り付けることにより、製作工程における負担を軽減することができ、その取り扱いも便利になる。
【００７４】
この係止凹部１２３は、嵌合突出部１２５の成形時に一体に形成されるものや、嵌合突出部１２５が装飾板本体１２０に貼り付けられることにより形成されるものであってもよいが、本第２実施形態では係止板本体１２４に嵌合突出部１２５が貼り付けられることにより形成されている。
【００７５】
ベース枠１０３は、上記ベース枠３と同様、軟質合成樹脂（本第２実施形態でもＥＶＡ樹脂）により一体成形された可撓性の有底枠状体であり、略正方形状の外枠１３０と、この外枠３０内を所定の配列パターン、個数の嵌合孔１３３に仕切る内枠１３１と、各嵌合孔１３３の底部をなす上記外枠１３０の底壁部１３２とを備える。各嵌合孔１３３は、上記嵌合突出部１２５の形状に対応した大きさ及び形状に設定され、上記第１実施形態の嵌合孔３３よりも小さく形成されている。この嵌合孔１３３の配列パターンは、特に限定するものではないが、本第２実施形態では縦横６個ずつ並べられている。そして、各嵌合孔１３３の内周面である外枠１３０及び内枠１３１の内側面には、第１実施形態の係合突部３５と同様の係合突部３５が設けられ、各嵌合突出部１２５の係止凹部１２３に弾性的に係止するものとなされている。
【００７６】
そして、このベース枠１０３の嵌合孔１３３に装飾板１０２の嵌合突出部１２５が嵌合され、係止突出部１３５が係止凹部１２３に係止されることにより、装飾板１０２がベース枠１０３に着脱自在に取り付けられている。
【００７７】
この第２実施形態に係る装飾板ユニット１０１を用いて装飾板１０２を敷設する場合には、まず壁面にベース枠１０３を接着やモルタル等で取り付け、このベース枠１０３に装飾板１０２を嵌め込むことによって行う。この第２実施形態に係る装飾板ユニット１０１においては、嵌合突出部１２５を嵌合孔１３３に嵌め込むことにより装飾板１０２をベース枠１０３に取り付けるものとなされているので、装飾板１０２の配列パターンを例えば千鳥状に配置することができる等その装飾板２の配列パターンを簡単に変更することができる。しかも、隣接する別のベース枠３に跨って装飾板１０２を取り付けることもでき、この装飾板１０２が連結部材としても機能する。
【００７８】
この第２実施形態に係る装飾板ユニット１０１によれば、上記第１実施形態と同様に、ベース枠１０３との係止構造を簡単に装飾板１０２に設けることができる。また、簡易施工が可能で、補修が容易な点も上記第１実施形態に係る装飾板ユニット１と同様である。
【００７９】
また、複数の嵌合突出部１２５がベース枠１０３の嵌合孔１３３に嵌め込まれるので、その取付強度も増し、装飾板１０２の脱落を確実に防止することができる。
【００８０】
〔その他の実施形態〕
なお、以上に本実施形態に係る装飾板ユニットについて説明したが、この発明に係る装飾板ユニットは、上記実施形態に限定されるものではなく、その趣旨を逸脱しない範囲で種々の変更が可能である。例えば、以下のような変更が可能である。
【００８１】
（１）上記第１実施形態では、装飾板本体２０の裏面中央部がその周縁部よりも膨出して形成されることにより係止凹部２３を構成する隙間を全周に亘って形成するものとなされているが、この隙間は各辺に設けられれば係止板２１の全周に亘って設ける必要がなく、例えば隙間は係止板２１の上端周縁部を面取りすることによって形成するものであってもよい。また、図１１に示すように、装飾板２０２の係止板２２１の上縁部における各辺の一部に切欠きを設けることによって装飾板本体２０と係止板２２１との間に隙間を形成し、該隙間により係止凹部２２３を形成するものであってもよい。
【００８２】
（２）上記各実施形態では、装飾板本体２０，１２０としてタイルを用いているが、装飾板２，１０２の具体的構成はこれに限定されるものではない。例えば下地等に設けられた既設の排水口上に配設される装飾板ユニットとして、図１２に示すような装飾板が嵌め込まれた装飾板ユニットを用いることができる。すなわち、この装飾板３０２は、１個ないし複数個の第１排水用貫通孔３２５を有する装飾板本体３２０と、この装飾板本体３２０の裏面側に貼り付けられ、上記第１排水用貫通孔３２５と連通する第２排水用貫通孔３２６を有する係止板３２６とを備える。この装飾板本体３２０は、例えば多数の第１排水用貫通孔３２５が打ち抜き加工されたアルミニウム板が適当な大きさに切断されて形成されている。一方、係止板３２６は、周縁部が面取りされて、上記装飾板３２０の裏面に貼り付けられた状態で周縁部に係止凹部３２３が形成されるものとなされている。
【００８３】
そして、この装飾板３０２を、嵌合孔３３の底部である底壁部３２に上記第２排水用貫通孔３２６と連通する排水孔が設けられたベース枠に嵌め込むことにより、装飾板ユニットが形成される。
【００８４】
その他、装飾板本体として、人工芝、木目板、石板等を採用するものであってもよい。
【００８５】
（３）上記各実施形態では、ベース枠３，１０３に係合突部３５，１３５が設けられる一方、装飾板２，１０２に係止凹部２３，１２３が設けられ、これらの係止によって装飾板２，１０２をベース枠３，１０３に着脱自在に取り付けるものとなされているが、これらの係止構造は特に限定されるものではない。例えば、突出部と凹部とがベース枠と装飾板との間で逆になってもよい。すなわち、例えばベース枠に係止突出部が設けられる一方、装飾板に係止凹部が設けられるものとしてもよい。
【００８６】
（４）装飾板２，１０２の具体的形状は特に限定するものではなく、その他の公知の形状、例えば円形、楕円形、多角形等であってもよい。
【図面の簡単な説明】
【００８７】
【図１】第１実施形態に係る装飾板ユニットを分解した状態で示す斜視図である。
【図２】同装飾板ユニットの縦断面図である。
【図３】図２の要部拡大断面図である。
【図４】第１実施形態に係る装飾板ユニットのベース枠を下方から見た状態で示す斜視図である。
【図５】図３と異なる断面を示す要部拡大断面図である。
【図６】図３、図５と異なる断面を示す要部拡大断面図である。
【図７】装飾板ユニット同士を連結した状態で示す平面図である。
【図８】幅員調整材を示す斜視図である。
【図９】図８のＩＸ−ＩＸ線断面図である。
【図１０】第２実施形態に係る装飾板ユニットを分解した状態で示す斜視図である。
【図１１】装飾板の変形例を示す斜視図である。
【図１２】装飾板の他の変形例を示す断面図である。
【符号の説明】
【００８８】
１     装飾板ユニット
２     装飾板
３     ベース枠
４     防水材
５，６ 連結部
２０   装飾板本体
２１   係止板
２３   係止凹部（板側係止部）
３０   外枠
３１   内枠
３２   底壁部
３３   嵌合孔
３５   係止突出部（枠側係止部）
３６   補強用リブ
３７   撓み吸収用溝
３８   連設部
４０   被覆部
４１   垂下部
５０，６０    第１連結部
５１，６１    第２連結部
【図１】
2004332527.tif 000003
【図２】
2004332527.tif 000004
【図３】
2004332527.tif 000005
【図４】
2004332527.tif 000006
【図５】
2004332527.tif 000007
【図６】
2004332527.tif 000008
【図７】
2004332527.tif 000009
【図８】
2004332527.tif 000010
【図９】
2004332527.tif 000011
【図１０】
2004332527.tif 000012
【図１１】
2004332527.tif 000013
【図１２】
2004332527.tif 000014